(57)【要約】【課題】室内機から吹出される空気の流れる方向を調節する風向調節具において、簡易な構成で結露を防止する。【解決手段】風向調節具は、室内機の空気吹出口から吹出される空気を取り込む吸入開口部を有し、前記空気吹出口側に突出する前面部と、前記前面部に対して前記空気吹出口の反対側に位置し、前記前面部と連結することで前記空気を排出する排気開口部を形成する背面部と、前記前面部に設けられた粘着部と、前記前面部と前記背面部との間に設けられ、前記吸入開口部から流入した前記空気を受ける受け部と、を備える。【選択図】図３
2019190783.tif 000002
【特許請求の範囲】
【請求項１】
室内機の空気吹出口から吹出される空気を取り込む吸入開口部を有し、前記空気吹出口側に突出する前面部と、
前記前面部に対して前記空気吹出口の反対側に位置し、前記前面部と連結することで前記空気を排出する排気開口部を形成する背面部と、
前記前面部に設けられた粘着部と、
前記前面部と前記背面部との間に設けられ、前記吸入開口部から流入した前記空気を受ける受け部と、を備える、
風向調節具。
【請求項２】
前記受け部は、前記背面部との間に断熱空間を形成する、
請求項１に記載の風向調節具。
【請求項３】
前記前面部と前記背面部とが連結する方向である連結方向における前記背面部の両端において、前記空気吹出口に近づく方向に向かって延びる２つの風向調節部をさらに備え、
前記連結方向に沿った前記受け部の長さを前記２つの風向調節部間の距離で除した値が、１より大きく１．０５より小さい、
請求項１または請求項２に記載の風向調節具。
【請求項４】
前記排気開口部の開口面と略平行な方向である開口方向に沿った前記受け部の長さを前記開口方向に沿った前記背面部の長さで除した値が、０．９８より大きく１．０５より小さい、
請求項１から請求項３のいずれか１項に記載の風向調節具。
【請求項５】
前記受け部と前記背面部との間に凸部をさらに備える、
請求項１から請求項４のいずれか１項に記載の風向調節具。
【請求項６】
前記背面部は、前記前面部の反対側に向かって突出している、
請求項１から請求項５のいずれか１項に記載の風向調節具。
【請求項７】
前記受け部および前記背面部が一体に形成されている、
請求項１から請求項６のいずれか１項に記載の風向調節具。
【発明の詳細な説明】
【技術分野】
【０００１】
本発明の一態様は、室内機から吹出される空気の流れる方向を調節する風向調節具に関する。
【背景技術】
【０００２】
室内機の空気吹出口から吹出される空気の流れる方向を調節する風向調節具がある。このような風向調節具は、たとえば特許文献１などに開示されている。
【先行技術文献】
【特許文献】
【０００３】
【特許文献１】特開２０１６−２１７５７５号公報
【発明の概要】
【発明が解決しようとする課題】
【０００４】
特許文献１に記載の風向調節具では、室内機の空気吹出口から吹出される空気を樹脂板の一方の面で直接受ける。これにより、空気が流れる方向を変化させ、空気が流れる方向の調節が行われる。しかしながら、たとえば、冷房運転が行われている場合、樹脂板の温度が低下し、冷気を直接受ける面の反対側の面の温度も低下する。このため、当該面の周囲の空気が冷やされることで当該面が結露することがある。結露が発生すると、風向調節具から室内へ水滴が滴り落ちたりするため、好ましくない。簡易な構成で結露を防止することが可能な風向調節具が求められる。
【課題を解決するための手段】
【０００５】
本発明は、上記の課題などを解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の一の手段は、
室内機（１００）の空気吹出口（１０１）から吹出される空気を取り込む吸入開口部（２５）を有し、前記空気吹出口側に突出する前面部（１２）と、
前記前面部に対して前記空気吹出口の反対側に位置し、前記前面部と連結することで前記空気を排出する排気開口部（２７）を形成する背面部（１１）と、
前記前面部に設けられた粘着部（２６）と、
前記前面部と前記背面部との間に設けられ、前記吸入開口部から流入した前記空気を受ける受け部（４１）と、を備える、
風向調節具である。
【０００７】
上記構成の風向調節具によれば、前面部と背面部との間に受け部が設けられることで、たとえば冷房運転時において背面部が直接冷気を受けることを防ぐことができるので、背面部の温度低下を抑制することができる。これにより、背面部が結露することを防ぐことができるので、風向調節具から室内へ水滴が滴り落ちることを防ぐことができる。すなわち、前面部と背面部との間に受け部を設ける簡易な構成で、風向調節具における結露を防止することができる。
【０００８】
上記風向調節具おいて、好ましくは、
前記受け部は、前記背面部との間に断熱空間（４２）を形成する。
【０００９】
上記構成の風向調節具によれば、受け部と背面部との間に断熱性の高い空気の層を設けることができるので、背面部の温度低下をより効果的に抑制し、結露を防止することができる。
【００１０】
上記風向調節具において、好ましくは、
前記前面部と前記背面部とが連結する方向である連結方向における前記背面部の両端において、前記空気吹出口に近づく方向に向かって延びる２つの風向調節部（３２）をさらに備え、
前記連結方向に沿った前記受け部の長さ（Ｄ２）を前記２つの風向調節部間の距離（Ｄ１）で除した値が、１より大きく１．０５より小さい。
【００１１】
上記構成の風向調節具によれば、２つの風向調節部が受け部の両端とそれぞれ接触することで、受け部と背面部との間に空間を確保することができるので、より大きな容積の断熱空間をより確実に形成することができる。
【００１２】
上記風向調節具において、好ましくは、
前記排気開口部の開口面と略平行な方向である開口方向に沿った前記受け部の長さ（Ｌ２）を前記開口方向に沿った前記背面部の長さ（Ｌ１）で除した値が、０．９８より大きく１．０５より小さい。
【００１３】
上記構成の風向調節具によれば、たとえば、開口方向に沿った受け部の長さ（Ｌ２）を開口方向に沿った背面部の長さ（Ｌ１）で除した値が、０．９８より大きく１以下である場合、背面部と前面部との間において受け部を良好に保持することができるので、受け部が脱落したり、ガタが発生したりすることを防ぐことができる。また、たとえば、開口方向に沿った受け部の長さ（Ｌ２）を開口方向に沿った背面部の長さ（Ｌ１）で除した値が、１以上１．０５より小さい場合、開口方向に沿った受け部の長さが、開口方向に沿った背面部の長さより大きくなるため、受け部を湾曲させることができる。これにより、たとえば受け部を背面部の反対側に湾曲させることで、より大きな容積の断熱空間をより確実に形成することができる。
【００１４】
上記風向調節具において、好ましくは、
前記受け部と前記背面部との間に凸部（２３）をさらに備える。
【００１５】
上記構成の風向調節具によれば、受け部と背面部との間において、少なくとも凸部の厚さを有する断熱空間をより確実に形成することができる。
【００１６】
上記風向調節具において、好ましくは、
前記背面部は、前記前面部の反対側に向かって突出している。
【００１７】
上記構成の風向調節具によれば、受け部と背面部とを離すことができるので、断熱空間をより確実に形成することができる。
【００１８】
上記風向調節具において、好ましくは、
前記受け部および前記背面部が一体に形成されている。
【００１９】
上記構成の風向調節具によれば、風向調節具の部品点数を削減するとともに、風向調節具の組み立てをより容易にすることができるので、より簡易な構成で風向調節具における結露を防止することができる。
【図面の簡単な説明】
【００２０】
【図１】図１は、本実施形態の風向調節具の室内機への取り付けの一例を示す図である。
【図２】図２は、本実施形態の風向調節具の室内機への取り付け部の断面図である。
【図３】図３は、本実施形態の風向調節具の外観斜視図である。
【図４】図４は、本実施形態の風向調節具の正面図である。
【図５】図５は、本実施形態の風向調節具の背面図である。
【図６】図６は、本実施形態の風向調節具の平面図である。
【図７】図７は、本実施形態の風向調節具の底面図である。
【図８】図８は、本実施形態の風向調節具の左側から見た側面図である。
【図９】図９は、本実施形態の風向調節具の右側から見た側面図である。
【図１０】図１０は、本実施形態の風向調節具の組み立て前の展開図である。
【図１１】図１１は、本実施形態の風向調節具の室内機への取り付けを説明するための図である。
【図１２】図１２は、本実施形態の風向調節具の変形例１を左側から見た側面図である。
【図１３】図１３は、本実施形態の風向調節具の変形例２の組み立て前の展開図である。
【発明を実施するための形態】
【００２１】
本発明の風向調節具は、室内機の空気吹出口から吹出される空気を取り込む吸入開口部を有する前面部と、前面部に対して空気吹出口の反対側に位置する背面部との間に、吸入開口部から流入した空気を受ける受け部が設けられている点を特徴の一つとしている。
【００２２】
本発明に係る実施形態について、以下の構成に従って説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態
（１）風向調節具の取り付け例
（２）風向調節具の構成例
（３）風向調節具の変形例１
（４）風向調節具の変形例２
２．本発明の特徴
３．補足事項
【００２３】
＜１．実施形態＞
（１）風向調節具の取り付け例
本発明の実施形態について、図面を参照しながら説明する。図１は、本実施形態の風向調節具の室内機への取り付けの一例を示す図である。図２は、本実施形態の風向調節具の室内機への取り付け部の断面図である。図１および図２に示されるように、風向調節具１は、エアーコンディショナーの室内機１００の空気吹出口１０１から吹出される空気の流れる方向を調節する。本実施形態では、室内機１００は、たとえば天井面に埋設される。なお、室内機１００は、壁面に埋設されてもよい。
【００２４】
詳細には、室内機１００は、室内の空気を吸い込む吸込口１０２と、吸い込んだ空気を冷却又は加熱する熱交換器（図示しない）と、冷気又は暖気を吹き出す４つの空気吹出口１０１と、を備える。吸込口１０２は、略正方形状に形成される。
【００２５】
空気吹出口１０１は、吸込口１０２の一辺の長さと略同じ長さの長辺を有する略方形の形状を有する。４つの空気吹出口１０１は、長辺が吸込口１０２と対向する向きで吸込口１０２の四方にそれぞれ設けられる。空気吹出口１０１には、風向板１０１ａが設けられており、吹き出される空気が、室内機１００の斜め下方に向けて吹き出されるように構成されている。
【００２６】
風向調節具１は、空気吹出口１０１から吹出される空気を、後述する吸入開口部２５を介して風向調節具１内に取り込むことができる位置に取り付けられる。風向調節具１は、任意の位置に取り付けることが可能であるが、具体的には、たとえば、室内機１００の空気吹出口１０１の枠体（露出面）、又は空気吹出口１０１の近傍の天井面もしくは壁面などに取り付けられる。
【００２７】
（２）風向調節具の構成例
＜風向調節具１＞
図３は、本実施形態の風向調節具の外観斜視図である。図４は、本実施形態の風向調節具の正面図である。図５は、本実施形態の風向調節具の背面図である。図６は、本実施形態の風向調節具の平面図である。図７は、本実施形態の風向調節具の底面図である。図８は、本実施形態の風向調節具の左側から見た側面図である。図９は、本実施形態の風向調節具の右側から見た側面図である。図１０は、本実施形態の風向調節具の組み立て前の展開図である。
【００２８】
各図面には、ｘ軸、ｙ軸、及びｚ軸を示すことがある。背面部１１から前面部１２へ向かう方向へ向いている軸を「ｚ軸」と定義する。排気開口部２７の開口面と略平行な方向であって折り目２２から折り目１１ａへ向かう方向へ向いている軸を「ｙ軸」と定義する。ｚ軸およびｙ軸の両方に垂直な軸を「ｘ軸」と定義する。ここでは、ｘ軸、ｙ軸およびｚ軸は、右手系の３次元の直交座標を形成する。また、ｘ軸の矢印方向をｘ軸＋側、矢印とは逆方向をｘ軸−側と呼ぶことがあり、その他の軸についても同様である。また、ｘ軸＋側およびｘ軸−側を、それぞれ「右側」および「左側」と呼ぶことがある。また、ｘ軸に平行な方向およびｙ軸に平行な方向を、それぞれ「連結方向」および「開口方向」と呼ぶことがある。なお、図１０及び図１３では、背面部１１を基準とした場合におけるｘ軸及びｙ軸が示される。言い換えると、図１０及び図１３では、ｘ軸及びｙ軸は、組み立ての前後において背面部１１とともに向きが変化する軸として示される。
【００２９】
ここでは、組み立て前の風向調節具１について主に説明する。主に図１０に示されるように、風向調節具１は、背面部１１、返し部１１ｂ、前面部１２、３つの係止突起２３、粘着部２６、２つの風向調節片３２および結露防止対策ボード４１を含んで構成される。
【００３０】
本実施形態では、風向調節具１は、ポリエチレンテレフタラートなどの樹脂材料によって形成され、弾性を有する。なお、風向調節具１は、樹脂材料に代えて、たとえば紙によって形成されてもよい。
【００３１】
本実施形態では、背面部１１、返し部１１ｂ、前面部１２、３つの係止突起２３、および２つの風向調節片３２は、一枚の薄板状の部材（厚み０．１ｍｍ〜１ｍｍ）であるプレート２１から構成される。詳細には、背面部１１および前面部１２は、折り目２２を介して互いに連結するように一体に形成されている。背面部１１および返し部１１ｂは、折り目１１ａを介して互いに連結するように一体に形成されている。２つの風向調節片３２は、それぞれ２つの折り目３１を介して背面部１１と連結するように一体に形成されている。３つの係止突起２３は、それぞれ３つの折り目２３ａを介して前面部１２と連結するように一体に形成されている。
【００３２】
＜前面部１２＞
前面部１２は、室内機の空気吹出口１０１から吹出される空気を取り込む吸入開口部２５を有する。詳細には、前面部１２は、組み立て前の状態において、折り目２２が長辺となる略方形の部材である（図１０参照）。前面部１２の略中央には、折り目２２と平行な長辺を有する吸入開口部２５が設けられる。
【００３３】
＜係止突起２３＞
３つの係止突起２３は、吸入開口部２５を挟んで折り目２２と対向する長辺である外側長辺１２ａに等間隔で設けられる。係止突起２３は、外側長辺１２ａに対する吸入開口部２５の反対側に向かって突出する。なお、外側長辺１２ａには、２つ以下または４つ以上の係止突起２３が設けられてもよい。
【００３４】
＜粘着部２６＞
粘着部２６は、前面部１２に設けられる。本実施形態では、粘着部２６は、前面部１２の表面における吸入開口部２５と外側長辺１２ａとの間に設けられる。粘着部２６は、たとえば、両面テープなどの粘着材または液状の粘着剤である。粘着部２６は、前面部１２の表面に貼り付けられる第１面と、室内機１００、壁面又は天井面に貼り付けられる第２面と、を有する。粘着部２６の第２面は、室内機１００の空気吹出口１０１から吹出される空気の風力によって剥がれない程度の粘着力を有するとともに、剥離後に、取り付け位置に残渣が残らない粘着剤によって構成される。ここで、粘着部２６が貼り付けられたプレート２１の面をおもて面と定義する。また、おもて面の反対側の面をうら面と定義する。
【００３５】
＜背面部１１および返し部１１ｂ＞
背面部１１は、設置状態において、前面部１２に対して空気吹出口１０１の反対側に位置する。詳細には、背面部１１は、組み立て前の状態において、折り目２２が長辺となる略方形の部材である（図１０参照）。背面部１１の短辺は、前面部１２の短辺と比べて短い。
【００３６】
背面部１１の折り目２２と対向する長辺は、折り目１１ａとなっている。折り目１１ａに対する背面部１１の反対側には、外側に向かって延伸する略方形の返し部１１ｂが設けられる。折り目１１ａには、３つの係止突起２３とそれぞれ係合可能な係止孔２４が形成される。連結方向（ｘ軸に平行な方向）における背面部１１の両端には、それぞれ背面部１１の中央部側に突出する曲線状の２つの折り目３１が形成される。
【００３７】
＜風向調節片３２＞
折り目３１に対する背面部１１の反対側には、外側に向かって延伸する風向調節片３２が設けられる。本実施形態では、風向調節片３２は、折り目３１に沿ってうら面側に折り曲げられる。これにより、風向の調節が行われる。なお、風向調節片３２は、折り目３１に沿っておもて面側に折り曲げることも可能である。風向調節片３２は、本発明でいう「風向調節部」の一具体例である。
【００３８】
＜結露防止対策ボード４１＞
本実施形態では、結露防止対策ボード４１は、略方形の部材であり、プレート２１と別個に形成される。結露防止対策ボード４１は、本発明でいう「受け部」の一具体例である。
【００３９】
連結方向（ｘ軸に平行な方向）に沿った結露防止対策ボード４１の長さＤ２を２つの風向調節片３２間の距離Ｄ１で除した値が、１より大きく１．０５より小さい。また、排気開口部２７の開口面と略平行な方向すなわち開口方向（ｙ軸に平行な方向）に沿った結露防止対策ボード４１の長さＬ２を、開口方向に沿った背面部１１の長さＬ１で除した値が、０．９８より大きく１以下である。ここで、距離Ｄ１およびＤ２、ならびに長さＬ１およびＬ２は、平面状に展開された状態で定義される。したがって、たとえば、組み立て後の風向調節具１において背面部１１および結露防止対策ボード４１が湾曲した場合に距離Ｄ１およびＤ２、ならびに長さＬ１およびＬ２を求めるときは、平面状に展開した状態に換算して求められる。
【００４０】
＜風向調節具１の組み立て＞
ここでは、風向調節具１の組み立てについて主に説明する。図３〜図１０に示されるように、結露防止対策ボード４１は、前面部１２と背面部１１との間に設けられ、吸入開口部２５から流入した空気を受ける。本実施形態では、おもて面からプレート２１を見て、折り目１１ａ、折り目２２および３つの折り目２３ａが山折り線となるようにこれらを折り曲げる（図１０参照）。背面部１１および返し部１１ｂによって挟まれるように背面部１１と前面部１２との間に結露防止対策ボード４１を設置した後、３つの係止突起２３をそれぞれ３つの係止孔２４に挿通する（図８及び図９参照）。
【００４１】
結露防止対策ボード４１と背面部１１との間に係止突起２３が設けられる。詳細には、係止孔２４に挿通された係止突起２３は、結露防止対策ボード４１と背面部１１との間に潜り込み、背面部１１および前面部１２を係止する（図８及び図９参照）。これにより、背面部１１と前面部１２とが連結される。係止突起２３は、本発明でいう「凸部」の一具体例である。
【００４２】
背面部１１は、前面部１２と連結することで、中空状の筒状体を形成しながら、取り込まれた空気を側方に排出する２つの排気開口部２７を形成する。この際、結露防止対策ボード４１は、背面部１１との間に断熱空間４２を形成するとともに、前面部１２との間に流路空間４３を形成する。
【００４３】
前面部１２は、背面部１１の短辺が前面部１２の短辺と比べて短いため、結露防止対策ボード４１に対する背面部１１の反対側へ向かって湾曲する。本実施形態では、背面部１１は、組み立て後も平面形状を維持する。なお、背面部１１は、前面部１２の反対側に向かって湾曲してもよい。詳細には、背面部１１は、たとえば、折り目３１に沿って風向調節片３２をｚ軸＋側に折り曲げることで、結露防止対策ボード４１に対する前面部１２の反対側に向かって湾曲する。また、背面部１１は、たとえば、折り目２２および３つの折り目２３ａに基づく復元力によって、結露防止対策ボード４１に対する前面部１２の反対側に向かって湾曲する。これにより、より大きな容積の断熱空間４２をより確実に形成することができる。この場合、たとえば、背面部１１の湾曲量は、前面部１２の湾曲量と比べて小さい。
【００４４】
２つの風向調節片３２は、前面部１２と背面部１１とが連結する方向すなわち連結方向（ｘ軸に平行な方向）における背面部１１の両端において、それぞれ空気吹出口１０１に近づく方向に向かって延びる。本実施形態では、おもて面からプレート２１を見て、２つの折り目３１が谷折り線となるようにこれらを折り曲げる（図１０参照）。これにより、２つの風向調節片３２は、結露防止対策ボード４１の両端とそれぞれ接触し、結露防止対策ボード４１を背面部１１から離すことができるので、より大きな容積の断熱空間４２をより確実に形成することができる。
【００４５】
＜風向調節具１の取り付け＞
図１１は、本実施形態の風向調節具の室内機への取り付けを説明するための図である。図２および図１１に示されるように、風向調節具１は、粘着部２６を介して室内機１００の任意の取り付け位置、本実施形態では、天井面に埋設される室内機１００の枠体（露出面）に取り付けられる。
【００４６】
詳細には、風向調節具１は、たとえば、前面部１２が空気吹出口１０１側に突出し、空気吹出口１０１から吹き出された空気を吸入開口部２５によってより多く取り込むことが可能な位置に取り付けられる。この際、風向調節具１は、吸入開口部２５の長辺と空気吹出口１０１の長辺とが略平行になるように配置される。
【００４７】
これにより、室内機１００の空気吹出口１０１から吹き出された空気は、吸入開口部２５を介して流路空間４３に取り込まれ、結露防止対策ボード４１に当たって結露防止対策ボード４１の空気吹出口１０１側の面に沿って流れる。つまり、室内機１００の空気吹出口１０１から斜め下方すなわちｚ軸−側に向かってに吹き出された空気の流れる方向は、略側方すなわち連結方向（ｘ軸に平行な方向）に変更される。
【００４８】
そして、風向調節具１の端部に位置する排気開口部２７から風向調節具１の外部に排出される。この際、風向調節片３２は、空気吹出口１０１に近づく方向に向かって延びているため、風向調節具１から排出される空気は、側方で、かつ、上方寄りに流れるように構成される。言い換えると、当該空気は、連結方向（ｘ軸に平行な方向）で、かつｚ軸＋側に向かって流れるように構成される。風向調節具１から流れ出る空気は、上方寄りに流れることで、室内全体により満遍なく供給される。
【００４９】
たとえば、室内機１００において冷房運転が行われている場合、空気吹出口１０１から吹き出された冷気が結露防止対策ボード４１に当たることで結露防止対策ボード４１の温度は低下する。一方、結露防止対策ボード４１と背面部１１との間には断熱空間４２が形成されているため、背面部１１の温度の低下を抑制することができる。これにより、背面部１１が結露することを防ぐことができるので、カビおよびダニなどの発生を抑制するとともに、風向調節具１から室内へ水滴が滴り落ちることを防ぐことができる。
【００５０】
（３）風向調節具の変形例１
図１２は、本実施形態の風向調節具の変形例１を左側から見た側面図である。図１２に示されるように、風向調節具の変形例１である風向調節具２は、風向調節具１と比較して、長さＬ２を長さＬ１で除した値が、１以上１．０５より小さい点で相違し、それ以外については同様である。以下、風向調節具２が、風向調節具１の内容と相違する点について具体的に説明する。
【００５１】
組み立て後の風向調節具２では、開口方向（ｙ軸に平行な方向）に沿った結露防止対策ボード４１の長さＬ２が、折り目１１ａおよび折り目２２間の距離より大きくなるため、結露防止対策ボード４１を、背面部１１の反対側に湾曲させることができる。これにより、より大きな容積の断熱空間４２をより確実に形成することができる。また、風向調節具２では、背面部１１が結露防止対策ボード４１に対する前面部１２の反対側に向かって湾曲しなくても、結露防止対策ボード４１が湾曲することで断熱空間４２を形成することができる。これにより、２つの風向調節片３２が伸びる方向、および長さＤ２を距離Ｄ１で除した値を自由に設定することができる。
【００５２】
（４）風向調節具の変形例２
図１３は、本実施形態の風向調節具の変形例２の組み立て前の展開図である。図１３に示されるように、風向調節具の変形例２である風向調節具３は、風向調節具１と比較して、返し部１１ｂを備えずに、結露防止対策ボード４１および背面部１１が一体に形成されている点で相違し、それ以外については同様である。以下、風向調節具３が、風向調節具１の内容と相違する点について具体的に説明する。
【００５３】
折り目１１ａに対する背面部１１の反対側には、外側に向かって延伸する結露防止対策ボード４１が設けられる。折り目１１ａには、３つの係止突起２３とそれぞれ係合可能な係止孔２４が形成される。結露防止対策ボード４１は、略方形を有しており、プレート２１と一体に形成される。
【００５４】
上記構成の風向調節具によれば、前面部１２と背面部１１との間に結露防止対策ボード４１が設けられることで、たとえば冷房運転時において背面部１１が直接冷気を受けることを防ぐことができるので、背面部１１の温度低下を抑制することができる。これにより、背面部１１が結露することを防ぐことができるので、カビおよびダニなどの発生を抑制するとともに、風向調節具１から室内へ水滴が滴り落ちることを防ぐことができる。すなわち、前面部１２と背面部１１との間に結露防止対策ボード４１を設ける簡易な構成で、風向調節具における結露を防止することができる。
【００５５】
＜２．本発明の特徴＞
上記構成の風向調節具では、結露防止対策ボード４１が、背面部１１との間に断熱空間４２を形成するため、結露防止対策ボード４１と背面部１１との間に断熱性の高い空気の層を設けることができるので、背面部１１の温度低下をより効果的に抑制し、結露を防止することができる。
【００５６】
上記構成の風向調節具では、２つの風向調節片３２が、連結方向（ｘ軸に平行な方向）における背面部１１の両端において空気吹出口１０１に近づく方向に向かって延び、長さＤ２を距離Ｄ１で除した値が、１より大きく１．０５より小さい。これにより、２つの風向調節片３２が結露防止対策ボード４１の両端とそれぞれ接触することで、結露防止対策ボード４１と背面部１１との間に空間を確保することができるので、より大きな容積の断熱空間４２をより確実に形成することができる。
【００５７】
上記構成の風向調節具では、長さＬ２を長さＬ１で除した値が、０．９８より大きく１．０５より小さいため、たとえば、長さＬ２を長さＬ１で除した値が、０．９８より大きく１以下である場合、前面部１２と背面部１１との間において結露防止対策ボード４１を適度に保持することができるので、結露防止対策ボード４１が脱落したり、ガタが発生したりすることを防ぐことができる。また、たとえば長さＬ２を長さＬ１で除した値が、１以上１．０５より小さい場合、開口方向（ｙ軸に平行な方向）に沿った結露防止対策ボード４１の長さＬ２が、開口方向に沿った背面部１１の長さＬ１より大きくなるため、結露防止対策ボード４１を湾曲させることができる。これにより、たとえば結露防止対策ボード４１を背面部１１の反対側に湾曲させることで、より大きな容積の断熱空間４２をより確実に形成することができる。
【００５８】
上記構成の風向調節具では、結露防止対策ボード４１と背面部１１との間に係止突起２３が設けられるため、結露防止対策ボード４１と背面部１１との間において、少なくとも係止突起２３の厚さを有する断熱空間４２をより確実に形成することができる。
【００５９】
上記構成の風向調節具では、背面部１１は、前面部１２の反対側に向かって湾曲しているため、結露防止対策ボード４１と背面部１１とを離すことができるので、断熱空間４２をより確実に形成することができる。
【００６０】
上記構成の風向調節具では、結露防止対策ボード４１および背面部１１が一体に形成されているため、風向調節具１の部品点数を削減するとともに、風向調節具１の組み立てをより容易にすることができるので、より簡易な構成で風向調節具における結露を防止することができる。
【００６１】
＜４．補足事項＞
以上、本発明の実施形態についての具体的な説明を行った。上記説明は、あくまで一実施形態としての説明であって、本発明の範囲はこの一実施形態に留まらず、当業者が把握可能な範囲にまで広く解釈されるものである。
【００６２】
本実施形態の風向調節具では、２つの排気開口部２７が設けられる構成について説明したが、たとえば１つの排気開口部２７が設けられる構成であってもよい。
【００６３】
また、本実施形態の風向調節具は、一枚のプレート２１を折り曲げて係止することで風向調節具１を組み立てる構成について説明したが、たとえば、背面部１１および前面部１２を別個の部品として風向調節具１を組み立てる構成であってもよい。
【００６４】
また、本実施形態の風向調節具では、結露防止対策ボード４１と背面部１１との間に断熱空間４２が形成される構成について説明したが、結露防止対策ボード４１と背面部１１とが密着し、断熱空間４２が形成されない構成であってもよい。この場合でも、結露防止対策ボード４１自体の断熱作用によって背面部１１の結露を抑制することができる。しかしながら、断熱空間４２を設けることで断熱効果を高めることができるので、断熱空間４２が形成される構成が好ましい。
【００６５】
また、本実施形態の風向調節具では、結露防止対策ボード４１と背面部１１との間に設けられる係止突起２３が凸部として機能する構成について説明したが、結露防止対策ボード４１と背面部１１との間に他の部品を凸部として設ける構成であってもよい。
【００６６】
また、本実施形態の風向調節具では、背面部１１が、前面部１２の反対側に向かって湾曲する構成について説明したが、背面部１１が、前面部１２の反対側に向かって突出する構成であれば、背面部１１の断面は、曲線状に限らず、たとえば台形状であってもよい。
【００６７】
また、本実施形態の風向調節具では、前面部１２が、背面部１１の反対側に向かって湾曲する構成について説明したが、前面部１２が、背面部１１の反対側に向かって突出する構成であれば、前面部１２の断面は、曲線状に限らず、たとえば台形状であってもよい。
【産業上の利用可能性】
【００６８】
本発明は、オフィスおよび工場といった事業所ならびに家庭などにおいて空調機の送風方向を調節する風向調節具として好適に利用される。
【符号の説明】
【００６９】
１，２，３…風向調節具
１１…背面部
１１ａ…折り目
１１ｂ…返し部
１２…前面部
１２ａ…外側長辺
２１…プレート
２２…折り目
２３…係止突起
２３ａ…折り目
２４…係止孔
２５…吸入開口部
２６…粘着部
２７…排気開口部
３１…折り目
３２…風向調節片
４１…結露防止対策ボード
４２…断熱空間
４３…流路空間
１００…室内機
１０１…空気吹出口
１０１ａ…風向板
１０２…吸込口
【図１】
2019190783.tif 000003
【図２】
2019190783.tif 000004
【図３】
2019190783.tif 000005
【図４】
2019190783.tif 000006
【図５】
2019190783.tif 000007
【図６】
2019190783.tif 000008
【図７】
2019190783.tif 000009
【図８】
2019190783.tif 000010
【図９】
2019190783.tif 000011
【図１０】
2019190783.tif 000012
【図１１】
2019190783.tif 000013
【図１２】
2019190783.tif 000014
【図１３】
2019190783.tif 000015